(57)【要約】【課題】  コンパクトな構成でありながら広画角であり、かつ良好な光学性能を発揮する画像読取用レンズを提供する。【解決手段】  読取レンズ１は、物体側から順に、前群Ｇ１と絞りＫと後群Ｇ２とを備える。前群Ｇ１は物体側から順に、物体側に凸面を向けたメニスカス形状をなす負の第１レンズＬ１と、両凸形状の第２レンズＬ２と両凹形状の第３レンズＬ３とからなる接合レンズＬ２３とを有する。後群Ｇ２は物体側から順に、両凹形状の第４レンズＬ４と両凸形状の第５レンズＬ５とからなる接合レンズＬ４５と、像側に凸面を向けたメニスカス形状をなす負の第６レンズＬ６とを有する。よって、絞りＫを中心として物体側および像側にほぼ対称な配置のレンズ構成となり、特にディストーションおよび倍率色収差が良好に補正されると共に、広画角化に十分に対応可能となる。【選択図】      図１
2006285158.tif 000002
【特許請求の範囲】
【請求項１】
物体側に凸面を向けたメニスカス形状をなす負の第１レンズと、
物体側から順に配置された両凸形状の第２レンズと両凹形状の第３レンズとからなる接合レンズと、
絞りと、
物体側から順に配置された両凹形状の第４レンズと両凸形状の第５レンズとからなる接合レンズと、
像側に凸面を向けたメニスカス形状をなす負の第６レンズと
が物体側から順に配設されている
ことを特徴とする画像読取用レンズ。
【請求項２】
さらに、下記の条件式（１）から条件式（５）を満足するように構成されている
ことを特徴とする請求項１に記載の画像読取用レンズ。
−１．１＜ｆ１／ｆ＜−０．５  ……（１）
０．３＜ｆ２３／ｆ＜０．７  ……（２）
０．１＜Ｒ３／ｆ＜０．３  ……（３）
−２．１＜Ｒ１１／Ｒ１＜−０．７  ……（４）
−１．８＜Ｒ７／Ｒ５＜−０．９  ……（５）
但し、
ｆ１：第１レンズの焦点距離
ｆ：全系の焦点距離
ｆ２３：第２レンズおよび第３レンズの合成焦点距離
Ｒ３：第２レンズにおける物体側の面の曲率半径
Ｒ１１：第６レンズにおける像側の面の曲率半径
Ｒ１：第１レンズにおける物体側の面の曲率半径
Ｒ７：第４レンズにおける物体側の面の曲率半径
Ｒ５：第３レンズにおける像側の面の曲率半径
とする。
【請求項３】
さらに、前記第２レンズおよび第５レンズを構成する材料が、下記の条件式（６）を満足するものである
ことを特徴とする請求項１または請求項２に記載の画像読取用レンズ。
（Ｎｇ−Ｎｄ）／（ＮＦ−ＮＣ）＞−２．０８３×１０-3×νd＋１．３６６  ……（６）
但し、
Ｎｇ：ｇ線における屈折率
Ｎｄ：ｄ線における屈折率
ＮＦ：Ｆ線における屈折率
ＮＣ：Ｃ線における屈折率
νｄ：ｄ線におけるアッベ数
【請求項４】
さらに、前記第１レンズおよび第６レンズのうちの少なくとも一方を構成する材料が、下記の条件式（７）を満足するものである
ことを特徴とする請求項１から請求項３のいずれか１項に記載の画像読取用レンズ。
（Ｎｇ−Ｎｄ）／（ＮＦ−ＮＣ）＜−２．０８３×１０-3×νd＋１．３６４  ……（７）
但し、
Ｎｇ：ｇ線における屈折率
Ｎｄ：ｄ線における屈折率
ＮＦ：Ｆ線における屈折率
ＮＣ：Ｃ線における屈折率
νｄ：ｄ線におけるアッベ数
【請求項５】
請求項１から請求項４のいずれか１項に記載の画像読取用レンズを備えたことを特徴とする画像読取装置。
【発明の詳細な説明】
【技術分野】
【０００１】
本発明は、例えばイメージスキャナなどの画像読取装置およびそれに搭載される画像読取用レンズに関する。
【背景技術】
【０００２】
従来より、カラー原稿の画像を、光学系を介して例えばＣＣＤ（電荷結合素子）のような固体撮像素子上に結像させ、その画像情報を読み取るようにした画像読取装置が使用されている。近年、このような画像読取装置、特にイメージスキャナ等においては高解像化が著しく進んでいることからフィルムの読み取りも可能となっている。
【０００３】
一方で、高解像化に伴い、フィルム面上の微小な傷や埃なども不要な画像情報として、本来の読取対象とする画像と共に読み取られてしまう場合があった。このため、近赤外光をフィルム面に照射することで傷や埃のみを検知し、電気的な画像処理によってこれらの不要な画像情報を除去する試みがなされている。したがって、このような機能を備えた画像読取装置に搭載される画像読取用レンズとしては、可視域のみならず近赤外域まで高解像な読取を可能とするものが望まれる。このような画像読取用レンズ（結像光学系）としては、例えば特許文献１，２に開示されたものがある。
【特許文献１】特開２００２−１４８５１４号公報
【特許文献２】特開２００４−２９４７４号公報
【発明の開示】
【発明が解決しようとする課題】
【０００４】
しかしながら、上記の特許文献１，２等に開示された結像光学系は画角が比較的小さいので、３５ｍｍ幅程度の比較的小さなフィルム上の読み取りには支障がないものの、より大きな（例えばＡ４判程度の）フィルムや反射原稿などの読み取りをおこなうにはレンズ自体を大型化する必要が生じてしまい、事実上、実施不可能であった。したがって、比較的小型であると共に少ないレンズ枚数でありながら、より大きな画角を有する画像読取用レンズが望まれる。
【０００５】
本発明はかかる問題に鑑みてなされたもので、その第１の目的は、コンパクトな構成でありながら広画角であり、かつ良好な光学性能を発揮する画像読取用レンズおよびそのような画像読取用レンズを備えた画像読取装置を提供することにある。本発明の第２の目的は、上記第１の目的に加え、さらに可視域から近赤外域まで諸収差（特に色収差）が良好に補正された画像読取用レンズおよびそのような画像読取用レンズを備えた画像読取装置を提供することにある。
【課題を解決するための手段】
【０００６】
本発明の画像読取用レンズは、物体側に凸面を向けたメニスカス形状をなし負の屈折力を有する第１レンズと、物体側から順に配置された両凸形状の第２レンズと両凹形状の第３レンズとからなる接合レンズと、絞りと、物体側から順に配置された両凹形状の第４レンズと両凸形状の第５レンズとからなる接合レンズと、像側に凸面を向けたメニスカス形状をなし負の屈折力を有する第６レンズとが物体側から順に配設されるようにしたものである。
【０００７】
本発明の画像読取用レンズでは、絞りと中心として物体側および像側にほぼ対称な配置のレンズ構成、すなわち、絞りに近い側から物体側および像側へそれぞれ向かうように両凹レンズと、両凸レンズと、絞りと反対側（外側）に凸面を向けた負のメニスカスレンズとが順に配置された構成となっているので、特にディストーションおよび倍率色収差が良好に補正される。
【０００８】
また、本発明の画像読取装置は、上記の画像読取用レンズを備えるようにしたものである。
【０００９】
本発明の画像読取装置では、上記の画像読取用レンズを介して高品質な画像情報の読み取りが行われる。
【００１０】
本発明の画像読取用レンズおよび画像読取装置では、さらに、下記の条件式（１）から条件式（５）を満足するように構成されていることが望ましい。但し、ｆ１は第１レンズの焦点距離、ｆは全系の焦点距離、ｆ２３は第２レンズおよび第３レンズの合成焦点距離、Ｒ３は第２レンズにおける物体側の面の曲率半径、Ｒ１１は第６レンズにおける像側の面の曲率半径、Ｒ１は第１レンズにおける物体側の面の曲率半径、Ｒ７は第４レンズにおける物体側の面の曲率半径、Ｒ５は第３レンズにおける像側の面の曲率半径である。
−１．１＜ｆ１／ｆ＜−０．５  ……（１）
０．３＜ｆ２３／ｆ＜０．７  ……（２）
０．１＜Ｒ３／ｆ＜０．３  ……（３）
−２．１＜Ｒ１１／Ｒ１＜−０．７  ……（４）
−１．８＜Ｒ７／Ｒ５＜−０．９  ……（５）
【００１１】
本発明の画像読取用レンズおよび画像読取装置では、さらに、第２レンズおよび第５レンズを構成する材料が、下記の条件式（６）を満足するように構成されていることが望ましい。但し、Ｎｇはｇ線における屈折率であり、Ｎｄはｄ線における屈折率であり、ＮＦはＦ線における屈折率であり、ＮＣはＣ線における屈折率であり、νｄはｄ線におけるアッベ数である。
（Ｎｇ−Ｎｄ）／（ＮＦ−ＮＣ）＞−２．０８３×１０-3×νd＋１．３６６  ……（６）
【００１２】
本発明の画像読取用レンズおよび画像読取装置では、さらに、第１レンズおよび第６レンズの少なくとも一方を構成する材料が、下記の条件式（７）を満足するように構成されていることが望ましい。
（Ｎｇ−Ｎｄ）／（ＮＦ−ＮＣ）＜−２．０８３×１０-3×νd＋１．３６４  ……（７）
【発明の効果】
【００１３】
本発明の画像読取用レンズまたはそれを備えた画像読取装置によれば、絞りを中心として、物体側に第１〜第３レンズを物体側から順に配置すると共に像側に第４〜第６レンズを物体側から順に配置することにより、絞りと中心として物体側および像側にほぼ対称なレンズ構成とすることができる。このため、６枚構成という比較的少ない枚数でありながらディストーションおよび倍率色収差を良好に補正することができる。ここで、第１レンズが物体側に凸面を向けた負のメニスカス形状をなす共に第６レンズが像側に凸面を向けた負のメニスカス形状をなすようにしたので、広画角化に十分に対応することが可能である。
【００１４】
本発明の画像読取用レンズまたはそれを備えた画像読取装置によれば、特に、上記の各条件式（１）〜（５）を満足するように構成すると、特に像面湾曲をより良好に補正することができ、より広画角化に有利となる。
【００１５】
本発明の画像読取用レンズまたはそれを備えた画像読取装置によれば、特に、第２レンズおよび第５レンズを構成する材料が上記の条件式（６）を満足するようにすると、または、第１レンズおよび第６レンズの少なくとも一方を構成する材料が上記の条件式（７）を満足するようにすると、特に軸上色収差および倍率色収差が良好に補正され、可視域から近赤外域に亘って良好な光学性能を発揮することが可能となる。
【発明を実施するための最良の形態】
【００１６】
以下、本発明の実施の形態について、図面を参照して詳細に説明する。
【００１７】
図１は、本発明の一実施の形態に係る画像読取装置１０の斜視構成を示している。画像読取装置１０は、反射原稿式のイメージスキャナであり、例えば、Ａ４判の反射原稿２が載置される原稿載置台３と、原稿載置台３上の反射原稿２へ向けて照明光を発するライン状の光源７と、反射原稿２の画像を取り込む撮像素子４と、反射原稿２と撮像素子４との間に配置されて反射原稿２の画像を撮像素子４の撮像面上に結像させる読取レンズ１とを備えている。この画像読取装置１０では、光源７が、その延在方向と直交する方向（矢印Ａで示した方向）に沿って原稿載置台３の上を平行移動しながら反射原稿２を全面に亘って順次照射するようになっている。反射原稿２からの反射光は、読取レンズ１によって撮像素子４上に結像され、撮像素子４によって画像情報として取り込まれる。
【００１８】
図２は、本発明の一実施の形態に係る読取レンズ１のレンズ構成を表すものであり、光軸Ｚ１を含む断面における各レンズ要素の構成を示している。なお、図２において、符号Ｚobj で示す側が物体側、すなわち、反射原稿２が配置され、読み取り用の画像が提供される側であり、一方の符号Ｚimgで示す側が結像側、すなわち、撮像素子４が配置され、物体側の画像が結像される側である。読取レンズ１の結像面Ｓimgには、撮像素子４の撮像面が配置される。図２において、符号Ｐは、読取レンズ１の中心結像位置を示す。符号Ｒｉは、物体側から第ｉ番目のレンズ面Ｓｉの曲率半径を示し、符号Ｄｉは、物体側から第ｉ番目のレンズ面と第ｉ＋１番目のレンズ面との光軸上の面間隔を示す。但し、図２において、符号Ｓ６（Ｒ６）を付した部分は、レンズ系の絞りＫに対応する。
【００１９】
読取レンズ１は、物体側から、前群Ｇ１と絞りＫと後群Ｇ２とが順に配置されたものであり、絞りＫを中心としてほぼ対称なレンズ構成となっている。具体的には、前群Ｇ１は、物体側から、物体側に凸面を向けたメニスカス形状をなす負の第１レンズＬ１と、両凸形状の第２レンズＬ２と、両凹形状の第３レンズＬ３とが順に配置されるように構成されている。ここで、第２レンズＬ２および第３レンズＬ３が接合レンズＬ２３を形成している。一方の後群Ｇ２は、物体側から順に配置された両凹形状の第４レンズＬ４と、両凸形状の第５レンズＬ５と、像側に凸面を向けたメニスカス形状をなす負の第６レンズＬ６とを有している。ここで、第４レンズＬ４および第５レンズＬ５が接合レンズＬ４５を形成している。
【００２０】
読取レンズ１は、さらに、下記の条件式（１）から条件式（５）を満足するように構成されていることが望ましい。条件式（１）〜（５）を満足することにより、より良好な収差補正がなされる。
【００２１】
−１．１＜ｆ１／ｆ＜−０．５  ……（１）
０．３＜ｆ２３／ｆ＜０．７  ……（２）
０．１＜Ｒ３／ｆ＜０．３  ……（３）
−２．１＜Ｒ１１／Ｒ１＜−０．７  ……（４）
−１．８＜Ｒ７／Ｒ５＜−０．９  ……（５）
但し、ｆ１，ｆ，ｆ２３は、それぞれ、第１レンズＬ１の焦点距離、全系の焦点距離、第２レンズＬ２および第３レンズＬ３の合成焦点距離である。Ｒ３，Ｒ１１，Ｒ１，Ｒ７，Ｒ５は、それぞれ、第２レンズＬ２における物体側の面の曲率半径、第６レンズＬ６における像側の面の曲率半径、第１レンズＬ１における物体側の面の曲率半径、第４レンズＬ４における物体側の面の曲率半径、第３レンズＬ３における像側の面の曲率半径である。
【００２２】
ここで、第１レンズＬ１の焦点距離を規定する条件式（１）において、上限を超えるとコマ収差の補正が不十分となり、下限を下回ると像面湾曲の補正が不十分となる。
【００２３】
接合レンズＬ２３の焦点距離を規定する条件式（２）では、上限を超えると軸上色収差の補正が不十分となり、下限を下回ると像面湾曲の補正が不十分となる。
【００２４】
第２レンズＬ２における物体側の面の曲率半径Ｒ３を規定する条件式（３）では、上限を超えるとコマ収差の補正が不十分となり、下限を下回ると倍率色収差の補正が不十分となる。
【００２５】
第６レンズＬ６における像側の面の曲率半径Ｒ１１と第１レンズＬ１における物体側の面の曲率半径Ｒ１との比を規定する条件式（４）では、上限を超えるとコマ収差の補正が不十分となり、下限を下回ると像面湾曲の補正が不十分となる。
【００２６】
第４レンズＬ４における物体側の面の曲率半径Ｒ７と第３レンズＬ３における像側の面の曲率半径Ｒ５との比を規定する条件式（５）では、上限を超えるとディストーションの補正が不十分となり、下限を下回ると球面収差の補正が不十分となる。
【００２７】
さらに、読取レンズ１では、第２レンズＬ２および第５レンズＬ５を構成する材料が下記の条件式（６）を満足するものであり、第１レンズL１および第６レンズL６を構成する材料が下記の条件式（７）を満足するものであることが望ましい。
【００２８】
（Ｎｇ−Ｎｄ）／（ＮＦ−ＮＣ）＞−２．０８３×１０-3×νd＋１．３６６  ……（６）
（Ｎｇ−Ｎｄ）／（ＮＦ−ＮＣ）＜−２．０８３×１０-3×νd＋１．３６４  ……（７）
但し、Ｎｇ，Ｎｄ，ＮＦ，ＮＣは、それぞれｇ線、ｄ線、Ｆ線、Ｃ線における屈折率を表し、νｄはｄ線におけるアッベ数を表す。なお、ｇ線、ｄ線、Ｆ線およびＣ線の波長は、それぞれ約４３５．８ｎｍ，５８７．６ｎｍ，４８６．１ｎｍ，および６５６．３ｎｍである。
【００２９】
ここで、（Ｎｇ−Ｎｄ）／（ＮＦ−ＮＣ）は、ｇ線およびｄ線の部分分散比θg,dである。一般に、横軸にアッベ数νをとり、縦軸に部分分散比θをとってν対θのグラフを描くと、多くの硝材はグラフ上で所定の基準線に沿って分布するような特性を持つことが知られている。そして、その所定の基準線から離れた位置に分布している硝材ほど、異常分散性を有しているものとされている。具体的には、図３に示したように、オハラ社の２つの硝材ＮＳＬ７およびＰＢＭ２を基準の硝材として選び、νｄ対θg,d（ｇ−ｄ線に対する部分分散比）のグラフ上において硝材ＮＳＬ７およびＰＢＭ２の各座標点を結ぶことによって基準線Ｌが得られる。この基準線Lは、
θg,d＝（Ｎｇ−Ｎｄ）／（ＮＦ−ＮＣ）
＝−２．０８３×１０-3×νｄ＋１．３６５
で表される。なお、基準線Ｌ上におけるアッベ数νｄ（Ｌ）に対応する部分分散比θg,d（Ｌ）を、任意の硝材の部分分散比θg,dから減じたものが部分分散比の偏差、すなわち、任意の硝材における異常分散性を示す値δθg,dとされる。異常分散性δθg,dは、各硝材メーカのカタログ等に記載された数値であり、それぞれの硝材における固有の値である。
【００３０】
読取レンズ１において、条件式（６）を満足する硝材を用いて第２レンズＬ２および第５レンズＬ５を構成することによって、特に、軸上色収差および倍率色収差をより良好に補正することができる。さらに、第１レンズＬ２および第６レンズＬ６の少なくとも一方を条件式（７）を満足する硝材を用いて構成することによって、特に、軸上色収差および倍率色収差をよりいっそう良好に補正することができる。
【００３１】
以上のように構成された本実施の形態の読取レンズ１によれば、前群Ｇ１および後群Ｇ２を、絞りＫを挟んでほぼ対称となるように配置し、さらに、各条件式（１）〜（５）を満足することにより、各構成要素の曲率半径や屈折率、あるいは焦点距離に適切な値を与えることによって諸収差をバランスよく補正するようにしたので、コンパクト化を達成しつつ、比較的広い画角を有し、画像の読み取りを行うのに適した光学性能を得ることができる。
【００３２】
特に、第２レンズＬ２および第５レンズＬ５を構成する材料が上記の条件式（６）を満足するようにすると共に、第１レンズＬ１および第６レンズＬ６の少なくとも一方を構成する材料が上記の条件式（７）を満足するようにしたので、特に軸上色収差および倍率色収差が良好に補正され、可視域から近赤外域に亘って良好な光学性能を発揮することが可能となる。
【実施例】
【００３３】
次に、上記実施の形態に係る画像読取用レンズの具体的な数値実施例について説明する。
【００３４】
＜実施例１〜４＞
以下、第１〜第４の数値実施例（実施例１〜４）をまとめて説明する。
【００３５】
図４は、実施例１に係る画像読取用レンズに関する基本レンズデータを示している。図４には、実施例１に係る画像読取用レンズについての、面Ｓ１〜Ｓ１１のそれぞれの曲率半径Ｒ１〜Ｒ１１、軸上の面間隔（厚さ）Ｄ１〜Ｄ１０、ｄ線に対する屈折率Ｎｄ１〜Ｎｄ６、ｇ線に対する屈折率Ｎｇ１〜Ｎｇ６、Ｆ線に対する屈折率ＮＦ１〜ＮＦ６、Ｃ線に対する屈折率ＮＣ１〜ＮＣ６、波長８５０ｎｍの光線に対する屈折率Ｎ(850)１〜Ｎ(850)６、アッベ数νｄ１〜νｄ６、部分分散比θｊ（ｊ＝１〜６）、条件式（６）の右辺、条件式（７）の右辺の値および硝材名を示す。部分分散比θｊは、物体側よりｊ番目のレンズにおける部分分散比θg,dを示す。曲率半径および面間隔の数値の単位はミリメートル（ｍｍ）である。面Ｓ６は絞りＫを示す。この実施例１が、図２に示したレンズ断面構成と対応関係にある。同様に、実施例２〜４に係る画像読取用レンズに関する基本レンズデータを図５〜図７に示す。なお、実施例２〜４については、図２に示した実施例１のレンズ断面構成とほぼ同様であるので、ここでは図示を省略する。また、図８は、実施例１〜４に係る画像読取用レンズに関するデータとして、全系の焦点距離ｆ、実効ＦNo.、倍率βおよび画角２ωをまとめて示したものである。焦点距離ｆの単位はミリメートル（ｍｍ）である。
【００３６】
図９は、実施例１〜４に係る画像読取用レンズについて、上述の条件式（１）〜（７）に対応する値を示したものである。ここで、条件式（６）に対応する欄には、第２レンズＬ２および第５レンズＬ５の各部分分散比θ２，θ５のうち、条件式（６）を満足しているものを示している。同様に、条件式（７）に対応する欄には、第１レンズＬ１および第６レンズＬ６の各部分分散比θ１，θ６のうち、条件式（７）を満足しているものを示している。図９に示したように、各実施例の画像読取用レンズは、いずれも条件式（１）〜（５）を全て満足している。さらに、実施例１〜４においては、いずれも第２レンズＬ２および第５レンズＬ５の部分分散比θ２，θ５が共に条件式（６）を満たしている。特に、実施例１では、第１レンズＬ１の部分分散比θ１が条件式（７）を満たしており、実施例２および実施例３では、第６レンズＬ６の部分分散比θ６が条件式（７）を満たしている。
【００３７】
図１０〜図１３は、実施例１〜４についての諸収差、すなわち、球面収差、非点収差、ディストーション（歪曲収差）および倍率色収差をそれぞれ順に示すものである。これらの各収差図は、物体面から像面に至る光路中において、画像読取用レンズを基準として物体側に厚さ２．８ｍｍのガラス板（平行平面板）を配置すると共に像側に厚さ０．７ｍｍのガラス板（平行平面板）を配置するようにした場合に得られるデータを示している。球面収差および非点収差についてはｄ線、ｇ線、Ｃ線および波長８５０ｎｍの光線（近赤外線）に対応するものを示し、ディストーションについてはｄ線に対応するものを示し、倍率色収差はｇ線、Ｃ線および波長８５０ｎｍの光線（近赤外線）に対応するものを示す。なお、非点収差については、サジタル方向とタンジェンシャル方向とについて示す。また、「ω」は半画角を示す。
【００３８】
以上の各レンズデータおよび各収差図から明らかなように、各実施例において、絞りＫを中心として第１〜第６レンズＬ１〜Ｌ６を光軸Ｚ１上で対称配置すると共に、条件式（１）〜（６）を満足するように構成したので、コンパクトな構成としつつ広い画角を確保し、可視域から近赤外域に至るまで良好に収差補正がなされ、画像の読取を行うのに適した良好な性能を得られることが確認できた。加えて、実施例１では第１レンズＬ１が条件式（７）を満たし、実施例２，３では第６レンズＬ６が条件式（７）を満たすようにしたので、特に倍率色収差の改善を図ることができた。
【００３９】
以上、実施の形態およびいくつかの実施例を挙げて本発明を説明したが、本発明は、上記実施の形態および各実施例に限定されず種々の変形実施が可能である。例えば、各レンズ成分の曲率半径、面間隔、屈折率およびアッベ数の値などは、上記各数値実施例で示した値に限定されず、他の値をとり得る。
【００４０】
また、上記実施の形態および実施例では、反射原稿式の画像読取装置としたが、本発明はこれに限定されるものではなく、例えば、図１４に示したような透過原稿式の画像読取装置であってもよい。図１４に示した画像読取装置２０は、例えばネガフィルムまたはポジフィルム等の透過原稿１２が載置される原稿載置台１３と、原稿載置台１３に向けて照明光を発する光源１７と、透過原稿１２の画像を撮像する撮像素子４と、透過原稿１２の画像を撮像素子１４の撮像面上に結像させる画像読取用の読取レンズ１とを備えている。撮像素子１４は、例えばＣＣＤ等からなる。この画像読取装置２０において、透過原稿１２と読取レンズ１との間には、必要に応じて、透過原稿１２を原稿載置台１３側に押さえ付けるための原稿押さえガラスまたはフィルタ等の光学素子１５が配置される。また、読取レンズ１と撮像素子１４との間には、必要に応じて、撮像素子１４を保護するためのカバーガラス等の光学素子１６を配置することも可能である。この画像読取装置２０では、光源１７から透過原稿１２に向けて照明光が照射される。透過原稿１２を透過した光は読取レンズ１によって撮像素子１４上に結像されるので、撮像素子１４によって画像が取得されることとなる。
【図面の簡単な説明】
【００４１】
【図１】本発明の一実施の形態に係る画像読取装置の概略構成を示す斜視図である。
【図２】本発明の一実施の形態に係る画像読取用レンズの構成を示すものであり、実施例１に対応するレンズ断面図である。
【図３】図２に示した画像読取用レンズを構成する硝材の部分分散比θg,dを説明するための基準線Ｌを表す特性図である。
【図４】実施例１としての画像読取用レンズのレンズデータのうち、基本的なデータを示す説明図である。
【図５】実施例２としての画像読取用レンズのレンズデータのうち、基本的なデータを示す説明図である。
【図６】実施例３としての画像読取用レンズのレンズデータのうち、基本的なデータを示す説明図である。
【図７】実施例４としての画像読取用レンズのレンズデータのうち、基本的なデータを示す説明図である。
【図８】実施例１〜４としての画像読取用レンズのレンズデータのうち、他の基本的なデータを示す説明図である。
【図９】実施例１〜４としての画像読取用レンズのレンズデータのうち、条件式（１）〜（７）に対応するデータを示す説明図である。
【図１０】実施例１の画像読取用レンズについての球面収差、非点収差、ディストーション（歪曲収差）および倍率色収差を示す図である。
【図１１】実施例２の画像読取用レンズについての球面収差、非点収差、ディストーション（歪曲収差）および倍率色収差を示す図である。
【図１２】実施例３の画像読取用レンズについての球面収差、非点収差、ディストーション（歪曲収差）および倍率色収差を示す図である。
【図１３】実施例４の画像読取用レンズについての球面収差、非点収差、ディストーション（歪曲収差）および倍率色収差を示す図である。
【図１４】本発明の一実施の形態に係る画像読取装置の変形例を示す構成図である。
【符号の説明】
【００４２】
Ｄ１〜Ｄ１０…面間隔、Ｇ１…前群、Ｇ２…後群、Ｌ１〜Ｌ６…第１〜第６レンズ、Ｌ２３，Ｌ４５…接合レンズ、Ｋ…絞り、Ｐ…中心結像位置、Ｒ１〜Ｒ１１…曲率半径、Ｓimg…結像面、Ｚ１…光軸、１…読取レンズ、２…反射原稿、３…原稿載置台、４…撮像素子、７…光源、１０…画像読取装置。
【図１】
2006285158.tif 000003
【図２】
2006285158.tif 000004
【図３】
2006285158.tif 000005
【図４】
2006285158.tif 000006
【図５】
2006285158.tif 000007
【図６】
2006285158.tif 000008
【図７】
2006285158.tif 000009
【図８】
2006285158.tif 000010
【図９】
2006285158.tif 000011
【図１０】
2006285158.tif 000012
【図１１】
2006285158.tif 000013
【図１２】
2006285158.tif 000014
【図１３】
2006285158.tif 000015
【図１４】
2006285158.tif 000016